(57)【要約】【課題】小型化を図りつつ、冷媒ポンプのキャビテーションを防止可能な吸収式冷温水機を提供する。【解決手段】高温再生器１、低温再生器２、凝縮器３、蒸発器４、及び吸収器５を備え、これらを配管接続して吸収液及び冷媒の循環サイクルをそれぞれ形成した吸収式冷温水機１００において、蒸発器４の冷媒溜まり４Ｂから蒸発器４の散布器４Ａへと冷媒を循環させる冷媒ポンプ１４と、吸収器５の入口側の冷却水温度を検出する冷却水入口温度センサ５２と、吸収器５の上流側の吸収液温度を検出する吸収液温度センサ５３と、冷却水入口温度センサ５２が検出した温度及び吸収液温度センサ５３が検出した温度から求められるインバータ周波数に基づいて冷媒ポンプ１４を運転させるインバータ制御手段６０とを備える構成とする。【選択図】図１
2010276244.tif 000002
【特許請求の範囲】
【請求項１】
高温再生器、低温再生器、凝縮器、蒸発器、及び吸収器を備え、これらを配管接続して吸収液及び冷媒の循環サイクルをそれぞれ形成した吸収式冷温水機において、
前記蒸発器の冷媒溜まりから該蒸発器の散布器へと冷媒を循環させる冷媒ポンプと、前記吸収器の入口側の冷却水温度を検出する冷却水入口温度センサと、前記吸収器の上流側の吸収液温度を検出する吸収液温度センサと、前記冷却水入口温度センサが検出した温度及び前記吸収液温度センサが検出した温度から求められるインバータ周波数に基づいて前記冷媒ポンプを運転させるインバータ制御手段とを備えたことを特徴とする吸収式冷温水機。
【請求項２】
前記吸収液温度センサは、前記高温再生器の温度を検出する高温再生器温度センサであることを特徴とする請求項１に記載の吸収式冷温水機。
【請求項３】
熱源温水再生器と、この熱源温水再生器の温度を検出する熱源温水再生器温度センサとを備え、
前記インバータ制御手段は、前記高温再生器の熱源が投入される場合には、前記冷却水入口温度センサが検出した温度及び前記高温再生器温度センサが検出した温度から求められるインバータ周波数に基づいて前記冷媒ポンプを運転させ、前記高温再生器の熱源が投入されない場合には、前記冷却水入口温度センサが検出した温度及び前記熱源温水再生器温度センサが検出した温度から求められるインバータ周波数に基づいて前記冷媒ポンプを運転させることを特徴とする請求項２に記載の吸収式冷温水機。
【発明の詳細な説明】
【技術分野】
【０００１】
本発明は、冷媒ポンプをインバータ制御する吸収式冷温水機に関する。
【背景技術】
【０００２】
従来、高温再生器、低温再生器、凝縮器、蒸発器、及び吸収器を備え、これらを配管接続して吸収液及び冷媒の循環サイクルをそれぞれ形成した吸収式冷温水機が知られている。この蒸発器には、凝縮器から流入した冷媒が溜まる冷媒溜まりが設けられており、この冷媒溜まりには、蒸発器の上部に設けられた散布器へと液冷媒を循環させる冷媒ポンプを備えた冷媒管が接続されている（例えば、特許文献１参照）。
【特許文献１】特許第３２０３５５５号公報
【発明の開示】
【発明が解決しようとする課題】
【０００３】
ところで、吸収式冷温水機では、温度の低い冷却水が用いられると、蒸発器で圧力が低下し、蒸発器で冷媒が過度に蒸発して冷媒溜まりに溜まる冷媒が少なくなる。また、冷房負荷が小さい場合には、高温再生器に投入される熱源量が抑えられ、高温再生器から蒸発器に供給される冷媒蒸気量が少なくなることにより、冷媒溜まりに溜まる冷媒が少なくなる。冷媒溜まりに溜まる冷媒が少なくなると、冷媒ポンプがキャビテーションを起こすおそれがある。
上記従来の構成では、冷媒の機内充填量を多くすることで、冷却水温度が低い場合や冷房負荷が小さい場合でも冷媒溜まりの冷媒の不足を回避できるものの、蒸発器の冷媒溜まり及び吸収器の稀液溜まりを大きくする必要があり、吸収式冷温水機の外形が大きくなってしまう。
本発明は、上述した事情に鑑みてなされたものであり、小型化を図りつつ、冷媒ポンプのキャビテーションを防止可能な吸収式冷温水機を提供することを目的とする。
【課題を解決するための手段】
【０００４】
上記課題を解決するため、本発明は、高温再生器、低温再生器、凝縮器、蒸発器、及び吸収器を備え、これらを配管接続して吸収液及び冷媒の循環サイクルをそれぞれ形成した吸収式冷温水機において、前記蒸発器の冷媒溜まりから該蒸発器の散布器へと冷媒を循環させる冷媒ポンプと、前記吸収器の入口側の冷却水温度を検出する冷却水入口温度センサと、前記吸収器の上流側の吸収液温度を検出する吸収液温度センサと、前記冷却水入口温度センサが検出した温度及び前記吸収液温度センサが検出した温度から求められるインバータ周波数に基づいて前記冷媒ポンプを運転させるインバータ制御手段とを備えたことを特徴とする。
上記構成によれば、冷却水入口温度センサが検出した温度及び吸収液温度センサが検出した温度から求められるインバータ周波数に基づいて冷媒ポンプを運転させるインバータ制御手段を備えたため、冷却水入口温度と、冷房負荷に対応する吸収器上流側の吸収液温度とに基づいて蒸発器で蒸発する冷媒量が制御されるので、冷媒溜まりの冷媒不足を抑制し、冷媒ポンプのキャビテーションを防止できる。また、冷却水入口温度センサ、吸収液温度センサ、及びインバータ制御手段を追加するだけでよいので、吸収式冷温水機の大型化を防止できる。
【０００５】
上記構成において、前記吸収液温度センサは、前記高温再生器の温度を検出する高温再生器温度センサであってもよい。
上記構成によれば、温度変化の大きい高温再生器温度に基づいて冷媒ポンプがインバータ制御されるので、より正確に冷房負荷の変動に対応させて蒸発器で蒸発する冷媒量を制御できる。
【０００６】
上記構成において、熱源温水再生器と、この熱源温水再生器の温度を検出する熱源温水再生器温度センサとを備え、前記インバータ制御手段は、前記高温再生器の熱源が投入される場合には、前記冷却水入口温度センサが検出した温度及び前記高温再生器温度センサが検出した温度から求められるインバータ周波数に基づいて前記冷媒ポンプを運転させ、前記高温再生器の熱源が投入されない場合には、前記冷却水入口温度センサが検出した温度及び前記熱源温水再生器温度センサが検出した温度から求められるインバータ周波数に基づいて前記冷媒ポンプを運転させてもよい。
上記構成によれば、インバータ制御手段は、高温再生器の熱源が投入される場合には、冷却水入口温度センサが検出した温度及び高温再生器温度センサが検出した温度から求められるインバータ周波数に基づいて冷媒ポンプを運転させ、高温再生器の熱源が投入されない場合には、冷却水入口温度センサが検出した温度及び熱源温水再生器温度センサが検出した温度から求められるインバータ周波数に基づいて冷媒ポンプを運転させるため、冷却水入口温度と、冷房負荷に対応する高温再生器温度又は熱源温水再生器温度とに基づいて蒸発器で蒸発する冷媒量が制御されるので、冷媒溜まりの冷媒不足を抑制し、冷媒ポンプのキャビテーションを防止できる。また、冷却水入口温度センサ、高温再生器温度センサ、熱源温水再生器温度センサ、及びインバータ制御手段を追加するだけでよいので、吸収式冷温水機の大型化を防止できる。
【発明の効果】
【０００７】
本発明によれば、冷却水入口温度センサが検出した温度及び高温再生器温度センサが検出した温度から求められるインバータ周波数に基づいて冷媒ポンプを運転させるインバータ制御手段を備えたため、冷却水入口温度と、冷房負荷に対応する吸収器上流側の吸収液温度とに基づいて蒸発器で蒸発する冷媒量が制御されるので、冷媒溜まりの冷媒不足を抑制し、冷媒ポンプのキャビテーションを防止できる。また、冷却水入口温度センサ、吸収液温度センサ、及びインバータ制御手段を追加するだけでよいので、吸収式冷温水機の大型化を防止できる。
【発明を実施するための最良の形態】
【０００８】
以下、図面を参照して本発明の好適な実施の形態について説明する。
〔第一の実施の形態〕
図１は、本発明の第一の実施の形態に係る吸収式冷温水機を示す回路図である。
吸収式冷温水機１００は、例えば、冷媒に水、吸収液に臭化リチウム（ＬｉＢｒ）溶液を用いた二重効用吸収式冷温水機である。この吸収式冷温水機１００は、高温再生器１、低温再生器２、凝縮器３、蒸発器４、吸収器５、高温熱交換器６、及び低温熱交換器７等が配管接続され、吸収液及び冷媒の循環サイクルが構成されている。
【０００９】
高温再生器１には、インバータ８Ａにより周波数可変に制御される第１吸収液ポンプ８により、冷媒が吸収液に吸収された稀釈吸収液（以下、稀液と言う。）を吸収器５から導く稀液管２０が接続されている。高温再生器１内には、第１吸収液ポンプ８によって吸収器５から稀液管２０を介して導かれた稀液が収容されており、この稀液の液面を検知する液面検知器１Ａが設けられている。この稀液は、例えば都市ガスを燃料とするバーナ１０によって加熱されるようになっている。バーナ１０は、燃料に点火する点火器１０Ａと、燃料量を制御して熱源量を可変にする燃料制御弁１０Ｂとを備えて構成されている。高温再生器１には、排ガスを排気する排気管１１が設けられている。
【００１０】
また、高温再生器１には、稀液が加熱されることで生じた冷媒蒸気を凝縮器３へと導く冷媒蒸気管２１と、冷媒蒸気が分離されて濃度が高くなった中間液を低温再生器２へと導く吸収液管２２とが接続されている。冷媒蒸気管２１は、第１冷媒蒸気管２１Ａと第２冷媒蒸気管２１Ｂとに分岐され、第１冷媒蒸気管２１Ａは、低温再生器２を伝熱管として経由し、凝縮器３に接続されている。第２冷媒蒸気管２１Ｂは、開閉弁３１を備え、吸収器５に接続されている。吸収液管２２は、第１吸収液管２２Ａと第２吸収液管２２Ｂとに分岐され、第１吸収液管２２Ａには高温熱交換器６が設けられ、第２吸収液管２２Ｂは開閉弁３２を備え、吸収器５に接続されている。
【００１１】
低温再生器２には、第１冷媒蒸気管２３Ａを流通する冷媒蒸気によって中間液が加熱されることで生じた冷媒蒸気を凝縮器３へと流入させるエリミネータ１２が仕切壁の上部に設けられている。また、低温再生器２には、冷媒蒸気が分離された濃縮吸収液（以下、濃液と言う。）を吸収器５へと導く吸収液管２３が接続されている。この吸収液管２３は、低温熱交換器７を備え、吸収器５内の上部に設けられた散布器５Ａに接続されている。
【００１２】
凝縮器３には、この凝縮器３の下部から蒸発器４へ、途中にＵ字部を備えた冷媒管２５が接続され、重力の作用により冷媒管２５を介して流下する凝縮器３内の液冷媒が蒸発器４内に流入するようになっている。また、凝縮器３内には、冷却水が流通する冷却水管２６が伝熱管として配置されている。
蒸発器４には、凝縮器３から流入した冷媒が溜まる冷媒溜まり４Ｂが形成され、この冷媒溜まり４Ｂから上部に設けられた散布器４Ａへと液冷媒を循環させる冷媒ポンプ１４を備えた冷媒管２７が接続されている。冷媒ポンプ１４は、インバータ１４Ａにより周波数可変に制御されるよう構成されている。蒸発器４内には、冷温水管２８が伝熱管として配置され、この冷温水管２８を介して、ブライン（例えば、冷水又は温水）が図示しない熱負荷（例えば空気調和装置）に循環供給される。冷温水管２８と冷却水管２６とは、開閉弁３３が設けられた接続管２９によって接続されている。
【００１３】
蒸発器４及び吸収器５の内部は高真空に保持されている。蒸発器４と吸収器５との間は仕切壁１５Ａで仕切られており、仕切壁１５Ａの上部には、蒸発器４において散布器４Ａから冷温水管２８に散布されて蒸発した冷媒蒸気が吸収器５へと流入するエリミネータ１５Ｂが設けられている。
吸収器５の下部には、蒸発器４からの冷媒蒸気が散布器５Ａから散布された濃液に吸収された稀液が溜まる稀液溜まり５Ｂが形成されている。この稀液溜まり５Ｂには、冷温水管２８から分岐して開閉弁３４が設けられた分岐管３０と、上記稀液管２０とが接続されている。吸収器５内には、冷却水が流通する冷却水管２６が伝熱管として配置されている。この冷却水管２６は、この吸収器５内を経由して上記凝縮器３内を経由するように配設されている。
【００１４】
吸収式冷温水機１００には、冷温水管２８の蒸発器４出口側に設けられて冷温水出口温度を検出する冷温水出口温度センサ５１と、冷却水管２６の吸収器５入口側に設けられて冷却水入口温度を検出する冷却水入口温度センサ５２と、高温再生器１に設けられて吸収液の温度を検出する高温再生器温度センサ（吸収液温度センサ）５３とが設けられている。
また、吸収式冷温水機１００には、吸収式冷温水機１００の運転の開始／停止を指示するための図示しない運転／停止スイッチと、吸収式冷温水機１００の制御を行う制御装置（インバータ制御手段）６０とが設けられている。この制御装置６０は、図示しない計時手段を備えている。制御装置６０は、液面検知器１Ａにより検出される高温再生器１における吸収液の液面の高さ、温度センサ５１〜５３により検出される冷温水、冷却水、及び吸収液の温度等を取得する。そして、制御装置６０は、取得した値に基づいて、点火器１０Ａの点火制御、燃料制御弁１０Ｂの開閉及び開度制御、インバータ８Ａ，１４Ａのインバータ制御等を実行する。
【００１５】
吸収式冷温水機１００は、制御装置６０の制御により、冷温水管２８から冷水を取り出す冷房運転と、冷温水管２８から温水を取り出す暖房運転とに運転モードが切り替えられる。
冷房運転時には、冷温水管２８を介して熱負荷に循環供給されるブライン（例えば冷水）の蒸発器４出口側温度が所定の設定温度、例えば７℃になるように吸収式冷温水機１００に投入される熱量が制御装置６０により制御される。具体的には、制御装置６０は、ポンプ８，１４を起動し、冷却水管２６に冷却水を流し、バーナ１０で燃料を燃焼させ、冷温水出口温度センサ５１が検出するブラインの温度が所定の７℃となるようにバーナ１０の火力を制御する。なお、冷房運転時には、開閉弁３１〜３４は閉じられる。
【００１６】
この場合、高温再生器１内の吸収液は、バーナ１０により加熱され、濃縮して中間液と冷媒蒸気とに分離する。この中間液は、吸収液管２２，２２Ａを流通して高温熱交換器６を経由し、吸収器５から流出する稀液によって冷却された後、低温再生器２に入る。高温再生器１で発生した冷媒蒸気は、冷媒蒸気管２１，２１Ａを流通して低温再生器２を経由し、低温再生器２に供給された中間液を加熱して、凝縮して液冷媒となって凝縮器３に入る。高温再生器１からの冷媒蒸気によって加熱された低温再生器２の中間液は、濃縮して濃液と冷媒蒸気とに分離する。この冷媒蒸気は、エリミネータ１２を通って凝縮器３に入る。
【００１７】
低温再生器２から凝縮器３に入った冷媒蒸気は、冷却水管２６内を流通する冷却水によって冷却されて液冷媒となる。この液冷媒及び高温再生器１からの液冷媒は、冷媒管２５を流通して蒸発器４に入り、一部蒸発しながらも冷媒溜まり４Ｂに溜まる。冷媒溜まり４Ｂに溜まった液冷媒は、冷媒ポンプ１４によって冷媒管２７を流通して蒸発器４内の散布器４Ａに供給され、散布器４Ａから冷温水管２８の表面に散布される。このとき、冷媒は気化熱により、冷温水管２８内を流通する温水の熱を奪い取り、温水が冷却されて冷水となる。この冷水は、熱負荷に供給されて冷房等の冷却運転が行われる。蒸発器４で蒸発した冷媒蒸気は、エリミネータ１５Ｂを通って吸収器５に入る。
【００１８】
一方で、低温再生器２で濃縮された濃液は、吸収液管２３を流通して低温熱交換器７を経由し、第１吸収液ポンプ８によって吸収器５から流出した稀液によって冷却された後、吸収器５内の散布器５Ａに供給され、散布器５Ａから冷却水管２６の表面に散布される。吸収器５では、蒸発器４で発生した冷媒蒸気が濃液に吸収され、濃度の低下した稀液となって稀液溜まり５Ｂに溜まる。なお、冷媒蒸気が濃液に吸収される際に発生する熱は、冷却水管２６内を流通する冷却水により冷却される。
吸収器５の稀液溜まり５Ｂに溜まった稀液は、第１吸収液ポンプ８によって稀液管２０から流出される。この稀液は、稀液管２０を流通して低温熱交換器７を経由し、吸収液管２３を流通する濃液によって加熱された後、高温熱交換器６を経由し、第１吸収液管２２Ａを流通する中間液によって加熱され、高温再生器１に入る。
【００１９】
暖房運転時には、冷温水管２８を介して熱負荷に循環供給されるブライン（例えば温水）の蒸発器４出口側温度が所定の設定温度、例えば５５℃になるように吸収式冷温水機１００に投入される熱量が制御装置６０により制御される。具体的には、制御装置６０は、第１吸収液ポンプ８だけを起動し、冷却水管２６に冷却水を流さないで、バーナ１０で燃料を燃焼させ、冷温水出口温度センサ５１が計測するブラインの温度が所定の５５℃となるようにバーナ１０の火力を制御する。なお、暖房運転時には、開閉弁３１〜３３は開かれ、開閉弁３４は閉じられる。
【００２０】
この場合、高温再生器１内の吸収液は、バーナ１０により加熱され、濃縮して中間液と冷媒蒸気とに分離する。この中間液は、吸収液管２２，２２Ｂを流通して吸収器５に入って稀液溜まり５Ｂに溜まり、冷媒蒸気は、冷媒蒸気管２１を流通し、主に流路抵抗の小さい第２冷媒蒸気管２１Ｂを流通して吸収器５に入る。吸収器５に入った冷媒蒸気は、エリミネータ１５Ｂを通って蒸発器４に入り、冷温水管２８を流通する冷水により冷却されて液冷媒となって冷媒溜まり５Ｂに溜まる。このとき、冷温水管２８を流通する冷水は、蒸発器４に入った冷媒蒸気によって加熱されて温水となる。この温水は、熱負荷に供給されて暖房等の暖房運転が行われる。冷媒溜まり４Ｂに溜まった冷媒は、冷媒管２７及び分岐管３０を流通して吸収器５に入って稀液溜まり５Ｂに溜まる。稀液溜まり５Ｂでは、冷媒が中間液に吸収されて濃度の低下した稀液となり、この稀液は、第１吸収液ポンプ８によって稀液管２０を流通して高温再生器１に供給される。
なお、本実施の形態の吸収式冷温水機１００は、蒸発器４で凝縮した冷媒が冷媒管２７、分岐管３０を流通して吸収器５に入るように構成されているが、開閉弁３４を閉じ、蒸発器４で凝縮して冷媒溜まり４Ｂに溜まった冷媒を冷媒溜まり４Ｂからオーバーフローさせて吸収器５に入るように構成することもできる。
【００２１】
この吸収式冷温水機１００では、冷房運転時において温度の低い冷却水が用いられた場合に、吸収器５及び蒸発器４内で圧力が低下し、蒸発器４で冷媒が過度に蒸発することにより、蒸発器４の冷媒溜まり４Ｂに溜まる冷媒が少なくなる可能性がある。また、冷房負荷が小さい場合には、高温再生器１に投入される熱源量が抑えられ、高温再生器１から蒸発器４に供給される冷媒蒸気量が少なくなることにより、蒸発器４の冷媒溜まり４Ｂに溜まる冷媒が少なくなる。冷媒溜まり４Ｂの冷媒が少なくなると、冷媒ポンプ１４がキャビテーションを起こすおそれがある。
そこで、制御装置６０は、冷却水入口温度及び冷房負荷（例えば、高温再生器温度）に基づいて、冷媒ポンプ１４のインバータ周波数を制御する冷媒ポンプ制御を実行し、蒸発器４で蒸発させる冷媒量を制御することにより、冷媒ポンプ１４のキャビテーションを防止する。
制御装置６０は、冷却水入口温度及び高温再生器温度と、これら冷却水入口温度及び高温再生器温度に対応する最適な冷媒ポンプ１４のインバータ周波数との関係を示す情報を予め実験等によって取得しており、この情報を用いて、冷媒ポンプ制御を実行する。
【００２２】
図２は、冷却水入口温度及び高温再生器温度と、これら冷却水入口温度及び高温再生器温度に対応する最適な冷媒ポンプ１４のインバータ周波数との関係を示す図である。なお、図２は、横軸に高温再生器温度を示し、縦軸に冷媒ポンプ１４のインバータ周波数を示している。
図２に示すＭ１〜Ｍ４は、冷却水入口温度毎の高温再生器温度とインバータ周波数との関係を示す。これらＭ１〜Ｍ４は、この順で冷却水入口温度が高くなっており、Ｍ１では冷却水入口温度が比較的低く、Ｍ４では冷却水入口温度が比較的高い。
【００２３】
図２に示すように、一定の高温再生器温度において、冷却水入口温度が低くなる程、最適となる冷媒ポンプ１４のインバータ周波数は小さくなっている。
詳述すると、冷却水入口温度が低くなる程、吸収器５及び蒸発器４内で圧力が低下し、蒸発器４で冷媒が蒸発しやすくなって冷媒溜まり４Ｂ内の冷媒量が不足する。したがって、冷却水入口温度が低い程、冷媒ポンプ１４のインバータ周波数を小さくし、冷媒溜まり４Ｂから散布器４Ａへと供給する液冷媒の量を減らすことで、蒸発器４で蒸発させる冷媒量を削減し、冷媒溜まり４Ｂの冷媒不足を抑制できる。
【００２４】
一方、一定の冷却水入口温度において、高温再生器温度が低くなる程、最適となる冷媒ポンプ１４のインバータ周波数は小さくなっている。
詳述すると、高温再生器温度が低くなる程、高温再生器１で蒸発する冷媒量が減少し、蒸発器４に供給される冷媒量が減少して冷媒溜まり４Ｂ内の冷媒量が不足する。したがって、高温再生器温度が低い程、冷媒ポンプ１４のインバータ周波数を小さくし、冷媒溜まり４Ｂから散布器４Ａへと供給する液冷媒の量を減らすことで、蒸発器４で蒸発させる冷媒量を削減し、冷媒溜まり４Ｂの冷媒不足を抑制できる。
【００２５】
次に、図３を参照して、吸収式冷温水機１００の冷媒ポンプ制御手順を説明する。
制御装置６０は、吸収式冷温水機１００が起動された場合、あるいは、運転モードの切り替えが行われた場合には、吸収式冷温水機１００の運転モードが冷房運転か否か判別する（ステップＳ１）。
吸収式冷温水機１００の運転モードが冷房運転の場合（ステップＳ１：Ｙｅｓ）、制御装置６０は、冷却水入口温度センサ５２から冷却水入口温度を取得し、高温再生器温度センサ５３から高温再生器温度を取得する。そして、制御装置６０は、予め実験等によって取得された、冷却水入口温度及び高温再生器温度と、これら冷却水入口温度及び高温再生器温度に対応する最適な冷媒ポンプ１４のインバータ周波数との関係を示す情報に基づいて、取得した冷却水入口温度及び高温再生器温度に対応するインバータ周波数を算出し、算出したインバータ周波数で冷媒ポンプ１４を運転する（ステップＳ２）。
【００２６】
次いで、制御装置６０は、冷温水出口温度センサ５１から冷水出口温度を取得し、この冷水出口温度に基づき冷媒ポンプ１４を運転又は停止する（ステップＳ３）。具体的には、制御装置６０は、冷水出口温度が所定温度、例えば５℃未満になった場合には、冷媒ポンプ１４を停止し、その後、冷水出口温度が所定温度、例えば５．５℃以上になった場合には、冷媒ポンプ１４を運転する制御を行う。
そして、制御装置６０は、吸収式冷温水機１００の停止スイッチがＯＮにされたか否か判別する（ステップＳ４）。停止スイッチがＯＮにされていない場合（ステップＳ４：Ｎｏ）、制御装置６０は、処理をステップＳ１に移行する。
【００２７】
停止スイッチがＯＮにされた場合（ステップＳ４：Ｙｅｓ）、制御装置６０は、停止スイッチがＯＮにされてからの時間を計時手段によってカウントし、所定の時間Ｔが経過するまで（ステップＳ５：Ｎｏ）、ステップＳ１からステップＳ５の処理を繰り返す。
停止スイッチがＯＮにされてからの時間が時間Ｔを経過した場合（ステップＳ５：Ｙｅｓ）、制御装置６０は、冷媒ポンプ１４を停止し、冷媒ポンプ制御の処理を終了する。
一方、吸収式冷温水機１００の運転モードが暖房運転の場合（ステップＳ１：Ｎｏ）、制御装置６０は、処理をステップＳ６に移行し、冷媒ポンプ制御の処理を終了する。
【００２８】
以上説明したように、本実施の形態によれば、冷却水入口温度センサ５２が検出した冷却水入口温度及び高温再生器温度センサ５３が検出した高温再生器温度から求められるインバータ周波数に基づいて冷媒ポンプ１４を運転させる制御装置６０を備えたため、冷却水入口温度と、冷房負荷に対応する高温再生器温度とに基づいて蒸発器４で蒸発する冷媒量が制御されるので、冷媒溜まり４Ｂの冷媒不足を抑制し、冷媒ポンプ１４のキャビテーションを防止できる。また、冷却水入口温度センサ５２、高温再生器温度センサ５３、及び制御装置６０を追加するだけでよいので、吸収式冷温水機１００の大型化を防止できる。
【００２９】
また、冷媒ポンプ１４は、冷却水入口温度と、高温再生器温度とに基づいてインバータ制御されるので、冷却水温度が低い場合や冷房負荷が小さい場合にも、蒸発器４で蒸発する冷媒を確保でき、例えば、冷媒溜まりの冷媒の液面高さを検知して冷媒ポンプを運転／停止する場合に比べ、冷水を安定した温度で供給できるとともに、構成を簡略化できる。
さらに、冷房負荷を高温再生器１の温度で判断することで、例えば、冷水の入口温度、出口温度、及び流量から冷房負荷を算出する場合に比べ、構成を簡素化できる。
これに加え、温度変化が大きい高温再生器温度に基づいて冷媒ポンプ１４がインバータ制御されるので、高温再生器１の下流側であって吸収器５の上流側、例えば、吸収液管２２，２２Ａ，２３や低温再生器２の吸収液温度を検出する場合に比べ、より正確に冷房負荷の変動に対応させて蒸発器４で蒸発する冷媒量を制御できる。
【００３０】
〔第二の実施の形態〕
図４は、本発明の第二の実施の形態に係る吸収式冷温水機２００を示す回路図である。なお図４では、図１に示す吸収式冷温水機１００と同一部分には同一の符号を付して説明を省略する。
吸収式冷温水機２００は、例えば、冷媒に水、吸収液に臭化リチウム（ＬｉＢｒ）溶液を用いた一重二重効用吸収式冷温水機である。この吸収式冷温水機２００は、熱源温水再生器２０１、熱源温水凝縮器２０２、高温再生器１、低温再生器２、凝縮器３、蒸発器４、吸収器５、高温熱交換器６、及び低温熱交換器７等が配管接続され、吸収液及び冷媒の循環サイクルが構成されている。
【００３１】
熱源温水再生器２０１には、第１吸収液ポンプ８により、稀液を吸収器５から導く稀液管２０３が接続されている。熱源温水再生器２０１内には、図示しない熱源発生装置（例えば太陽熱温水器やコージェネレーション装置）で生成された比較的低温（例えば約８０℃程度）の排温水が流通する排温水管２０４が伝熱管として配置されている。排温水管２０４は、排温水管２０４の熱源温水再生器２０１入口側と熱源温水再生器２０１出口側とを結ぶバイパス管２０４Ａと、熱源温水再生器２０１に供給する排温水の流量を調整するために切り替えられる三方弁２０４Ｂとを備えている。
【００３２】
熱源温水再生器２０１には、排温水管２０４を流通する排温水によって稀液が加熱されることで生じた冷媒蒸気を熱源温水凝縮器２０２へと流入させるエリミネータ２０５が仕切壁の上部に設けられている。また、熱源温水再生器２０１には、冷媒蒸気が分離された稀中間液を高温再生器１へと導く吸収液管２０６が接続されている。この吸収液管２０６は、第２吸収液ポンプ２０７を備えており、第２吸収液ポンプ２０７上流側は、バイパス管２０８を介して吸収液管２３に接続されている。
熱源温水凝縮器２０２内には、冷却水が流通する冷却水管２６が伝熱管として配置されている。熱源温水凝縮器２０２の下部には、冷却水管２６を流通する冷却水によって冷却されることで冷媒蒸気が凝縮した液冷媒を蒸発器４に導く冷媒管２０９が接続されている。冷媒管２０９は、冷媒管２５のＵ字部に接続されている。
【００３３】
吸収式冷温水機２００には、冷温水管２８の蒸発器４出口側に設けられて冷温水出口温度を検出する冷温水出口温度センサ５１と、冷却水管２６の吸収器５入口側に設けられて冷却水入口温度を検出する冷却水入口温度センサ５２と、高温再生器１に設けられて吸収液の温度を検出する高温再生器温度センサ５３と、吸収液管２０６の熱源温水再生器２０１出口側に設けられて吸収液の温度を検出する熱源温水再生器温度センサ５４とが設けられている。
また、吸収式冷温水機２００には、吸収式冷温水機２００の運転の開始／停止を指示するための図示しない運転／停止スイッチと、吸収式冷温水機２００の制御を行う制御装置（インバータ制御手段）６０とが設けられている。この制御装置６０は、図示しない計時手段を備えている。制御装置６０は、液面検知器１Ａにより検出される高温再生器１における吸収液の液面の高さ、温度センサ５１〜５４により検出される冷温水、冷却水、及び吸収液の温度等を取得する。そして、制御装置６０は、取得した値に基づいて、点火器１０Ａの点火制御、燃料制御弁１０Ｂの開閉及び開度制御、インバータ８Ａ，１４Ａのインバータ制御、第２吸収液ポンプ２０７の運転／停止制御、三方弁２０４Ｂの切り替え制御等を実行する。
【００３４】
吸収式冷温水機２００は、制御装置６０の制御により、冷温水管２８から冷水を取り出す冷房運転と、冷温水管２８から温水を取り出す暖房運転とに運転モードが切り替えられる。また、吸収式冷温水機２００は、制御装置６０の制御により、熱源温水再生器２０１に供給される温水を熱源として吸収液を加熱再生する温水単独運転（一重効用運転）と、高温再生器１のバーナ１０を熱源として吸収液を加熱再生するガス加熱運転（一重二重効用運転、二重効用運転）とに運転モードが切り替えられる。
【００３５】
冷房運転時において、熱負荷が大きく、且つ、排温水管２０４を介して熱源温水再生器２０１に供給する排温水の温度が所定温度（例えば８５℃）に達している時には、冷温水管２８を介して熱負荷に循環供給されるブライン（例えば冷水）の蒸発器４出口側温度が所定の設定温度、例えば７℃になるように吸収式冷温水機２００に投入される熱量が制御装置６０により制御される。具体的には、制御装置６０は、全てのポンプ８，１４，２０７を起動し、冷却水管２６に冷却水を流し、バーナ１０で燃料を燃焼させるとともに、熱源温水再生器２０１に温水を定格量供給する一重二重効用運転（ガス加熱運転）を行い、冷温水出口温度センサ５１が検出するブラインの温度が所定の７℃となるようにバーナ１０の火力を制御する。なお、冷房運転時には、開閉弁３１〜３４は閉じられる。
【００３６】
この場合、熱源温水再生器２０１内の吸収液は、排温水管２０４を流通する排温水により加熱され、濃縮して稀中間液と冷媒蒸気とに分離する。この稀中間液は、第２吸収液ポンプ２０７によって吸収液管２０６を流通して高温熱交換器６を経由し、高温再生器１に供給される。熱源温水再生器２０１で発生した冷媒蒸気は、エリミネータ２０５を通って熱源温水凝縮器２０２に入る。熱源温水再生器２０１から熱源温水凝縮器２０２に入った冷媒蒸気は、冷却水管２６内を流通する冷却水によって冷却されて液冷媒となる。この液冷媒は、冷媒管２０９を介して熱源温水凝縮器２０２から流出する。
【００３７】
高温再生器１に供給された稀中間液は、バーナ１０により加熱され、さらに濃縮して濃中間液と冷媒蒸気とに分離する。この濃中間液は、吸収液管２２，２２Ａを流通して高温熱交換器６を経由し、熱源温水再生器２０１から流出する稀中間液によって冷却された後、低温再生器２に入る。高温再生器１で発生した冷媒蒸気は、冷媒蒸気管２１，２１Ａを流通して低温再生器２を経由し、低温再生器２に供給された濃中間液を加熱して、凝縮して液冷媒となって凝縮器３に入る。高温再生器１からの冷媒蒸気によって加熱された低温再生器２の濃中間液は、濃縮して濃液と冷媒蒸気とに分離する。この冷媒蒸気は、エリミネータ１２を通って凝縮器３に入る。
【００３８】
低温再生器２から凝縮器３に入った冷媒蒸気は、冷却水管２６内を流通する冷却水によって冷却されて液冷媒となる。この液冷媒及び高温再生器１からの液冷媒は、冷媒管２５を流通し、冷媒管２０９を流通する液冷媒と合流して蒸発器４に入り、一部蒸発しながらも冷媒溜まり４Ｂに溜まる。冷媒溜まり４Ｂに溜まった液冷媒は、冷媒ポンプ１４によって冷媒管２７を流通して蒸発器４内の散布器４Ａに供給され、散布器４Ａから冷温水管２８の表面に散布される。このとき、冷媒は気化熱により、冷温水管２８内を流通する温水の熱を奪い取り、温水が冷却されて冷水となる。この冷水は、熱負荷に供給されて冷房等の冷却運転が行われる。蒸発器４で蒸発した冷媒蒸気は、エリミネータ１５Ｂを通って吸収器５に入る。
【００３９】
一方で、低温再生器２で濃縮された濃液は、吸収液管２３を流通して低温熱交換器７を経由し、第１吸収液ポンプ８によって吸収器５から流出した稀液によって冷却された後、吸収器５内の散布器５Ａに供給され、散布器５Ａから冷却水管２６の表面に散布される。吸収器５では、蒸発器４で発生した冷媒蒸気が濃液に吸収され、濃度の低下した稀液となって稀液溜まり５Ｂに溜まる。なお、冷媒蒸気が濃液に吸収される際に発生する熱は、冷却水管２６内を流通する冷却水により冷却される。
吸収器５の稀液溜まり５Ｂに溜まった稀液は、第１吸収液ポンプ８によって稀液管２０３を流通して低温熱交換器７を経由し、吸収液管２３を流通する濃液によって加熱された後、熱源温水再生器２０１に供給される。
【００４０】
一重二重効用運転時においては、冷温水出口温度センサ５１が計測する温度が所定の７℃になるように、バーナ１０による加熱量、具体的にはバーナ１０に供給する燃料量が制御装置６０により制御される。そして、バーナ１０による加熱量を最小にしても、冷温水出口温度センサ５１が所定の７℃より低い温度を検出すると、制御装置６０は、バーナ１０による加熱を停止して一重効用運転（温水単独運転）に移行する。この場合、制御装置６０は、高温再生器１内に貯留された吸収液の液面の高さが、液面検知器１Ａの下端部よりも高い所定位置となるまで第２吸収液ポンプ２０７を運転し、この所定位置に至った時に、第２吸収液ポンプ２０７の運転を停止する。
【００４１】
一重効用運転における吸収液は、排温水管２０４を流通する排温水により熱源温水再生器２０１においてだけ加熱され、冷媒を蒸発分離して濃液となる。この濃液は、吸収液管２０６、バイパス管２０８、吸収液管２３を流通し、低温熱交換器７を経由して吸収器５に入る。
一方、熱源温水再生器２０１で発生した冷媒蒸気は、エリミネータ２０５を通って熱源温水凝縮器２０２に入り、冷却水管２６内を流通する冷却水によって冷却されて液冷媒となる。この液冷媒は、冷媒管２０９を介して蒸発器４に入り、一部蒸発しながらも冷媒溜まり４Ｂに溜まる。冷媒溜まり４Ｂに溜まった液冷媒は、冷媒ポンプ１４によって冷媒管２７を介して蒸発器４内の散布器４Ａに供給され、散布器４Ａから冷温水管２８の表面に散布される。このとき、冷媒は気化熱により、冷温水管２８内を流通する温水の熱を奪い取り、温水が冷却されて冷水となる。なお、冷媒蒸気が濃液に吸収される際に発生する熱は、冷却水管２６内を流通する冷却水により冷却される。
【００４２】
一重効用運転時においては、冷温水出口温度センサ５１が計測する温度が所定の７℃になるように、熱源温水再生器２０１における加熱量、具体的には排温水管２０４を介して熱源温水再生器２０１に供給する排温水の量、すなわち三方弁２０４Ｂの開度が制御装置６０により制御される。
そして、排温水管２０４を流れる排温水の全量が熱源温水再生器２０１に流れるように三方弁２０４Ｂを操作しても、冷温水出口温度センサ５１が所定温度の７℃以下の温度を計測しない時には、上記のようにバーナ１０で燃料を燃焼させ、高温再生器１における吸収液の加熱再生と冷媒蒸気の生成とを再開して一重二重効用運転に戻る。
【００４３】
また、一重効用運転時において、熱負荷は大きいが、排温水管２０４を介して熱源温水再生器２０１に供給する排温水の温度が所定の８５℃以下に低下した時（例えば、天候不順等により太陽熱温水器から供給される温水温度が安定しない時）には、熱源温水再生器２０１に温水が供給されないように三方弁２０４Ｂを切り替えると共に、ポンプ８，１４，２０７を起動し、且つ、バーナ１０において燃料を燃焼させる二重効用運転（ガス加熱運転）を行う。この場合も、冷温水出口温度センサ５１が計測するブラインの温度が所定温度の７℃となるように、バーナ１０の火力が制御装置６０により制御される。
【００４４】
この二重効用運転では、吸収器５の稀液溜まり５Ａにある稀液は第１吸収液ポンプ８により熱源温水再生器２０１に供給されるが、熱源温水再生器２０１には熱源としての排温水は供給されていない。このため、熱源温水再生器２０１に供給された稀液は、加熱されることなく、第２吸収液ポンプ２０７により吸収液管２０６を流通し、高温熱交換器６を経由して高温再生器１に供給され、その後は一重二重効用運転と同様に循環しながら加熱されて、高温再生器１と低温再生器２とで吸収液の濃縮再生と冷媒の分離生成とがなされる。この二重効用運転時に、熱源温水再生器２０１に供給する温水の温度が所定の８５℃に達した時には、冷房負荷の大きさに応じて、一重二重効用運転または一重効用運転が行われる。
【００４５】
暖房運転時には、冷温水管２８を介して熱負荷に循環供給されるブライン（例えば温水）の蒸発器４出口側温度が所定の設定温度、例えば５５℃になるように吸収式冷温水機２００に投入される熱量が制御装置６０により制御される。具体的には、制御装置６０は、ポンプ８，２０７だけを起動し、冷却水管２６に冷却水を流さないで、バーナ１０で燃料を燃焼させるとともに、熱源温水再生器２０１に排温水が供給されないように三方弁２０４Ｂを切り替え、冷温水出口温度センサ５１が検出するブラインの温度が所定の５５℃となるようにバーナ１０の火力を制御する。なお、暖房運転時には、開閉弁３１〜３３は開かれ、開閉弁３４は閉じられる。
本実施の形態における暖房時の吸収液及び冷媒は、第一の実施の形態における暖房時の吸収液及び冷媒と同様に作用するため、ここでは説明を省略する。
【００４６】
この吸収式冷温水機２００では、冷房運転時において温度の低い冷却水が用いられた場合に、吸収器５及び蒸発器４内で圧力が低下し、蒸発器４で冷媒が過度に蒸発することにより、蒸発器４の冷媒溜まり４Ｂに溜まる冷媒が少なくなる可能性がある。また、バーナ１０を熱源とするガス加熱運転時に冷房負荷が小さい場合には、高温再生器１に投入される熱源量が抑えられ、高温再生器１から蒸発器４に供給される冷媒蒸気量が少なくなることにより、蒸発器４の冷媒溜まり４Ｂに溜まる冷媒が少なくなる。さらに、排温水を熱源とする温水単独運転時に冷房負荷が小さい場合には、熱源温水再生器２０１に供給される排温水量が抑えられ、熱源温水再生器２０１から蒸発器４に供給される冷媒蒸気量が少なくなることにより、蒸発器４の冷媒溜まり４Ｂに溜まる冷媒が少なくなる。冷媒溜まり４Ｂの冷媒が少なくなると、冷媒ポンプ１４がキャビテーションを起こすおそれがある。
【００４７】
そこで、制御装置６０は、ガス加熱運転の場合には、冷却水入口温度及び冷房負荷（例えば、高温再生器温度）に基づいて、冷媒ポンプ１４のインバータ周波数を制御し、温水単独運転の場合には、冷却水入口温度及び冷房負荷（例えば、熱源温水再生器温度）に基づいて、冷媒ポンプ１４のインバータ周波数を制御する冷媒ポンプ制御を実行し、蒸発器４で蒸発させる冷媒量を制御することにより、冷媒ポンプ１４のキャビテーションを防止する。
制御装置６０は、ガス加熱運転時における冷却水入口温度及び高温再生器温度と、これら冷却水入口温度及び高温再生器温度に対応する最適な冷媒ポンプ１４のインバータ周波数との関係を示す情報、及び、温水単独運転時における冷却水入口温度及び熱源温水再生器温度と、これら冷却水入口温度及び熱源温水再生器温度に対応する最適な冷媒ポンプ１４のインバータ周波数との関係を示す情報を予め実験等によって取得しており、この情報を用いて、冷媒ポンプ制御を実行する。
なお、ガス加熱運転時において、冷却水入口温度及び高温再生器温度と、これら冷却水入口温度及び高温再生器温度に対応する最適な冷媒ポンプ１４のインバータ周波数との関係は、図２に示す吸収式冷温水機１００における関係と略同等のため、ここでは説明を省略する。
【００４８】
図５は、冷却水入口温度及び熱源温水再生器温度と、これら冷却水入口温度及び熱源温水再生器温度に対応する最適な冷媒ポンプ１４のインバータ周波数との関係を示す図である。なお、図５は、横軸に熱源温水再生器温度を示し、縦軸に冷媒ポンプ１４のインバータ周波数を示している。
図５に示すＮ１〜Ｎ４は、冷却水入口温度毎の熱源温水再生器温度とインバータ周波数との関係を示す。これらＮ１〜Ｎ４は、この順で冷却水入口温度が高くなっており、Ｎ１では冷却水入口温度が比較的低く、Ｎ４では冷却水入口温度が比較的高い。
【００４９】
図５に示すように、一定の熱源温水再生器温度において、冷却水入口温度が低くなる程、最適となる冷媒ポンプ１４のインバータ周波数は小さくなっている。
詳述すると、冷却水入口温度が低くなる程、吸収器５及び蒸発器４内で圧力が低下し、蒸発器４で冷媒が蒸発しやすくなって冷媒溜まり４Ｂ内の冷媒量が不足する。したがって、冷却水入口温度が低い程、冷媒ポンプ１４のインバータ周波数を小さくし、冷媒溜まり４Ｂから散布器４Ａへと供給する液冷媒の量を減らすことで、蒸発器４で蒸発させる冷媒量を削減し、冷媒溜まり４Ｂの冷媒不足を抑制できる。
【００５０】
一方、一定の冷却水入口温度において、熱源温水再生器温度が低くなる程、最適となる冷媒ポンプ１４のインバータ周波数は小さくなっている。
詳述すると、熱源温水再生器温度が低くなる程、熱源温水再生器２０１で蒸発する冷媒量が減少し、蒸発器４に供給される冷媒量が減少して冷媒溜まり４Ｂ内の冷媒量が不足する。したがって、熱源温水再生器温度が低い程、冷媒ポンプ１４のインバータ周波数を小さくし、冷媒溜まり４Ｂから散布器４Ａへと供給する液冷媒の量を減らすことで、蒸発器４で蒸発させる冷媒量を削減し、冷媒溜まり４Ｂの冷媒不足を抑制できる。
【００５１】
次に、図６を参照して、吸収式冷温水機２００の冷媒ポンプ制御手順を説明する。
制御装置６０は、吸収式冷温水機２００が起動された場合、あるいは、運転モードの切り替えが行われた場合には、吸収式冷温水機２００の運転モードが冷房運転か否か判別する（ステップＳ１１）。
吸収式冷温水機２００の運転モードが冷房運転の場合（ステップＳ１１：Ｙｅｓ）、制御装置６０は、バーナ１０が燃焼中か否か判別する（ステップＳ１２）。すなわち、制御装置６０は、高温再生器１に熱源が投入されているか否か判別する。
【００５２】
バーナ１０が燃焼中の場合（ステップＳ１２：Ｙｅｓ）、制御装置６０は、冷却水入口温度センサ５２から冷却水入口温度を取得し、高温再生器温度センサ５３から高温再生器温度を取得する。そして、制御装置６０は、予め実験等によって取得された、冷却水入口温度及び高温再生器温度と、これら冷却水入口温度及び高温再生器温度に対応する最適な冷媒ポンプ１４のインバータ周波数との関係を示す情報に基づいて、取得した冷却水入口温度及び高温再生器温度に対応するインバータ周波数を算出し、算出したインバータ周波数で冷媒ポンプ１４を運転する（ステップＳ１３）。
バーナ１０が燃焼中でない場合（ステップＳ１２：Ｎｏ）、制御装置６０は、冷却水入口温度センサ５２から冷却水入口温度を取得し、熱源温水再生器温度センサ５４から熱源温水再生器温度を取得する。そして、制御装置６０は、予め実験等によって取得された、冷却水入口温度及び熱源温水再生器温度と、これら冷却水入口温度及び熱源温水再生器温度に対応する最適な冷媒ポンプ１４のインバータ周波数との関係を示す情報に基づいて、取得した冷却水入口温度及び熱源温水再生器温度に対応するインバータ周波数を算出し、算出したインバータ周波数で冷媒ポンプ１４を運転する（ステップＳ１４）。
【００５３】
次いで、制御装置６０は、冷温水出口温度センサ５１から冷水出口温度を取得し、この冷水出口温度に基づき冷媒ポンプ１４を運転又は停止する（ステップＳ１５）。具体的には、制御装置６０は、冷水出口温度が所定温度、例えば５℃未満になった場合には、冷媒ポンプ１４を停止し、その後、冷水出口温度が所定温度、例えば５．５℃以上になった場合には、冷媒ポンプ１４を運転する制御を行う。
そして、制御装置６０は、吸収式冷温水機２００の停止スイッチがＯＮにされたか否か判別する（ステップＳ１６）。停止スイッチがＯＮにされていない場合（ステップＳ１６：Ｎｏ）、制御装置６０は、処理をステップＳ１１に移行する。
【００５４】
停止スイッチがＯＮにされた場合（ステップＳ１６：Ｙｅｓ）、制御装置６０は、停止スイッチがＯＮにされてからの時間を計時手段によってカウントし、所定の時間Ｔが経過するまで（ステップＳ１７：Ｎｏ）、ステップＳ１からステップＳ５の処理を繰り返す。
停止スイッチがＯＮにされてからの時間が時間Ｔを経過した場合（ステップＳ１７：Ｙｅｓ）、制御装置６０は、冷媒ポンプ１４を停止し、冷媒ポンプ制御の処理を終了する。
一方、吸収式冷温水機２００の運転モードが暖房運転の場合（ステップＳ１１：Ｎｏ）、制御装置６０は、処理をステップＳ１８に移行し、冷媒ポンプ制御の処理を終了する。
【００５５】
以上説明したように、本実施の形態によれば、制御装置６０は、高温再生器１の熱源が投入される場合には、冷却水入口温度センサ５２が検出した冷却水入口温度及び高温再生器温度センサ５３が検出した高温再生器温度から求められるインバータ周波数に基づいて冷媒ポンプ１４を運転させ、高温再生器１の熱源が投入されない場合には、冷却水入口温度センサ５２が検出した冷却水入口温度及び熱源温水再生器温度センサ５４が検出した熱源温水再生器温度から求められるインバータ周波数に基づいて冷媒ポンプ１４を運転させる。このため、冷却水入口温度と、冷房負荷に対応する高温再生器温度又は熱源温水再生器温度とに基づいて蒸発器４で蒸発する冷媒量が制御されるので、冷媒溜まり４Ｂの冷媒不足を抑制し、冷媒ポンプ１４のキャビテーションを防止できる。また、冷却水入口温度センサ５２、高温再生器温度センサ５３、熱源温水再生器温度センサ５４、及び制御装置６０を追加するだけでよいので、吸収式冷温水機２００の大型化を防止できる。
【００５６】
また、冷媒ポンプ１４は、冷却水入口温度と、高温再生器温度又は熱源温水再生器温度とに基づいてインバータ制御されるので、冷却水温度が低い場合や冷房負荷が小さい場合にも、蒸発器４で蒸発する冷媒を確保でき、例えば、冷媒溜まりの冷媒の液面高さを検知して冷媒ポンプを運転／停止する場合に比べ、冷水を安定した温度で供給できるとともに、構成を簡略化できる。
【００５７】
但し、上記実施の形態は本発明の一態様であり、本発明の趣旨を逸脱しない範囲において適宜変更可能であるのは勿論である。
例えば、上記実施の形態では、高温再生器１の熱源としてバーナ１０が用いられていたが、高温再生器１の熱源は、蒸気や排ガス等であってもよい。
【００５８】
また、上記実施の形態では、冷房負荷を判断するための温度センサ（高温再生器温度センサ５３）を高温再生器１に設けたが、高温再生器１の下流側であって吸収器５の上流側、例えば、吸収液管２２，２２Ａ，２３や低温再生器２に設けても良い。
【図面の簡単な説明】
【００５９】
【図１】本発明の実施の形態に係る吸収式冷温水機の一例を示す回路図である。
【図２】冷却水入口温度及び高温再生器温度と、これら冷却水入口温度及び高温再生器温度に対応する最適な冷媒ポンプのインバータ周波数との関係を示す図である。
【図３】冷媒ポンプ制御を示すフローチャートである。
【図４】第二の実施の形態に係る吸収式冷温水機を示す回路図である。
【図５】冷却水入口温度及び熱源温水再生器温度と、これら冷却水入口温度及び熱源温水再生器温度に対応する最適な冷媒ポンプのインバータ周波数との関係を示す図である。
【図６】冷媒ポンプ制御を示すフローチャートである。
【符号の説明】
【００６０】
１  高温再生器
２  低温再生器
３  凝縮器
４  蒸発器
４Ａ  散布器
４Ｂ  冷媒溜まり
５  吸収器
１４  冷媒ポンプ
５２  冷却水入口温度センサ
５３  高温再生器温度センサ（吸収液温度センサ）
５５  熱源温水再生器温度センサ
６０  制御装置（インバータ制御手段）
１００，２００  吸収式冷温水機
２０１  熱源温水再生器
【図１】
2010276244.tif 000003
【図２】
2010276244.tif 000004
【図３】
2010276244.tif 000005
【図４】
2010276244.tif 000006
【図５】
2010276244.tif 000007
【図６】
2010276244.tif 000008